(57)【要約】【課題】本発明の課題は、設備機器のアップデートされた運転状態情報を、効率よく端末機器に送信する【解決手段】設備機器４０の遠隔管理装置１０は、一定時間間隔で更新される設備機器の運転データと、設備機器の運転状態を示し、運転データが更新される毎に更新される運用データと、を受信するデータ受信部１４と、受信した運転データと運用データとを格納するデータ格納部６０と、端末機器２０と通信可能に接続され、設備機器に対する制御要求及び設備機器の運転状態情報の送信要求を、端末機器から受信する要求受信部１４と、格納された運用データを、制御要求に応じて更に更新する運用データ更新部１１と、格納された運用データに基づいて設備機器の運転状態情報を生成し、端末機器に送信する運転状態情報送信部１１，１４と、を備える。【選択図】図２
2010016434.tif 000002
【特許請求の範囲】
【請求項１】
設備機器（４０）を制御する制御装置（３０）と通信可能に接続され、遠隔より前記設備機器を管理する遠隔管理装置（１０）であって、
一定時間間隔で更新される前記設備機器の運転データと、前記設備機器の運転状態を示し、前記運転データが更新される毎に更新される運用データと、を受信するデータ受信部（１４）と、
受信した前記運転データと前記運用データとを格納するデータ格納部（６０）と、
端末機器（２０）と通信可能に接続され、前記設備機器に対する制御要求及び前記設備機器の運転状態情報の送信要求を、前記端末機器から受信する要求受信部（１４）と、
格納された前記運用データを、前記制御要求に応じて更に更新する運用データ更新部（１１）と、
格納された前記運用データに基づいて前記設備機器の前記運転状態情報を生成し、前記端末機器に送信する運転状態情報送信部（１１、１４）と、
を備える、遠隔管理装置。
【請求項２】
前記制御要求に従って制御ファイルを作成する制御ファイル作成部（１１）と、
前記制御装置（３０）からのアクセスに対し、前記制御ファイルを送信する制御ファイル送信部（１１、１４）と、
前記制御装置より前記制御ファイルの実行完了の通報を受信する通報受信部（１４）と、
を更に備え、
前記運用データ更新部（１１）は、前記通報を受信したことに応じて前記運用データを更新する、
請求項１に記載の遠隔管理装置。
【請求項３】
前記設備機器（４０）は空調機であり、
前記運用データは、前記設備機器の運転／停止、運転モード及び設定温度を示す情報のうち少なくとも一つを含む、
請求項１に記載の遠隔管理装置。
【請求項４】
請求項１に記載の遠隔管理装置（１０）と、
前記制御装置（３０）と、
前記端末機器（２０）、
を備え、
前記端末機器は、前記制御要求と前記運転状態情報の送信要求とを同時に送信する送信部（２１、２４）と、
前記運転状態情報を受信する受信部（２４）と、
前記制御要求を送信してから前記運転状態情報を受信するまでの間、前記制御要求を実行中である旨を示す情報を表示させる出力部（２１、２６）と、
を有する、
遠隔管理システム。
【請求項５】
前記制御装置（３０）は、
前記設備機器の運転スケジュールを取得する運転スケジュール取得部（３１）と、
前記運転スケジュールに応じて前記設備機器を制御する運転制御部（３２）と、
を有する、請求項４に記載の遠隔管理システム。
【請求項６】
設備機器（４０）を制御する制御装置（３０）と通信し、遠隔より前記設備機器を管理する遠隔管理方法であって、
一定時間間隔で更新される前記設備機器の運転データと、前記設備機器の運転状態を示し、前記運転データが更新される毎に更新される運用データと、を受信するデータ受信ステップと、
受信した前記運転データと前記運用データとを格納するデータ格納ステップと、
端末機器（２０）と通信し、前記設備機器に対する制御要求及び前記設備機器の運転状態情報の送信要求を、前記端末機器から受信する要求受信ステップと、
格納された前記運用データを、前記制御要求に応じて更に更新する運用データ更新ステップと、
格納された前記運用データに基づいて前記設備機器の前記運転状態情報を生成し、前記端末機器に送信する運転状態情報送信ステップと、
を備える、遠隔管理方法。
【発明の詳細な説明】
【技術分野】
【０００１】
本発明は、設備機器の遠隔管理装置、遠隔管理システム及び遠隔管理方法に関する。
【背景技術】
【０００２】
従来、ビルなどの建造物に設置された空調設備、冷凍・冷蔵設備或いはその他の設備機器の状態を監視し、制御する設備機器管理システムが知られている。また、このような設備機器管理システムにおいては、遠隔に配された管理サーバーが提供するＷｅｂページを介し、端末機器から運転状態データが閲覧することが行われている。また、端末機器から遠隔操作により設備機器を操作することが行われている（例えば、特許文献１参照）。
【特許文献１】特開２００４−２６５４４９号公報
【発明の開示】
【発明が解決しようとする課題】
【０００３】
運転データは、所定時間における運転／停止、運転モード及び消費電力等を所定時刻毎に蓄積したデータである。設備機器側においては、メモリの容量に制限があるため、この運転データは、所定時間毎、例えば一時間毎に蓄積してから、遠隔にある管理装置に送信されることが多い。よって、設備機器の運転状態が変化した場合であっても、その運転状態の変化が運転データに反映されるまでに時間がかかる場合がある。そのような場合、端末機器からのアクセスにより設備機器の運転状態を閲覧しても、アップデートされた運転状態を確認できないことになる。
【０００４】
そこで、本発明は、設備機器のアップデートされた運転状態情報を、効率よく端末機器に送信することを目的とする。
【課題を解決するための手段】
【０００５】
第１発明に係る遠隔管理装置は、設備機器を制御する制御装置と通信可能に接続され、遠隔より設備機器を管理する遠隔管理装置であって、データ受信部と、データ格納部と、要求受信部と、運用データ更新部と、運転状態情報送信部と、を備える。データ受信部は、一定時間間隔で更新される設備機器の運転データと、設備機器の運転状態を示し、同運転データが更新される毎に更新される運用データと、を受信する。データ格納部は、受信した運転データと運用データとを格納する。要求受信部は、端末機器と通信可能に接続され、設備機器に対する制御要求及び設備機器の運転状態情報の送信要求を、前記端末機器から受信する。運用データ更新部は、格納された運用データを、制御要求に応じて更に更新する。状態情報送信部は、格納された運用データに基づいて設備機器の運転状態情報を生成し、端末機器に送信する。
【０００６】
ここで、設備機器を制御する制御装置とは、各設備機器の内部に設けられた制御装置、設備機器の制御部の一部として組み込まれている装置、独立した装置として複数の設備機器に有線又は無線で接続されている装置を含む。
【０００７】
ここでは、設備機器のアップデートされた運転状態情報を、効率よく端末機器に送信することができる。
【０００８】
第２発明に係る遠隔管理装置は、第１発明に係る遠隔管理装置であって、制御要求に従って制御ファイルを作成する制御ファイル作成部と、制御装置からのアクセスに対し、制御ファイルを送信する制御ファイル送信部と、制御装置より制御ファイルの実行完了の通報を受信する通報受信部と、を更に備える。同遠隔管理装置においては、運用データ更新部は、同通報を受信したことに応じて前記運用データを更新する。
【０００９】
第３発明に係る遠隔管理装置は、第１発明に係る遠隔管理装置であって、設備機器は空調機であり、運用データは、設備機器の運転／停止、運転モード及び設定温度を示す情報のうち少なくとも一つを含む。
【００１０】
第４発明に係る遠隔管理システムは、第１発明に係る遠隔管理装置と、制御装置と、端末機器とを備える。端末機器は、制御要求と運転状態情報の送信要求とを同時に送信する送信部と、運転状態情報を受信する受信部と、制御要求を送信してから運転状態情報を受信するまでの間、前記制御要求を実行中である旨を示す情報を表示させる出力部と、を有する。
【００１１】
第５発明に係る遠隔管理システムは、第４発明に係る遠隔管理システムであって、制御装置は、設備機器の運転スケジュールを取得する運転スケジュール取得部と運転スケジュールに応じて設備機器を制御する運転制御部と、を有する、
第６発明に係る遠隔管理方法は、設備機器を制御する制御装置と通信し、遠隔より設備機器を管理する遠隔管理方法であって、データ受信ステップと、データ格納ステップと、要求受信ステップと、運用データ更新ステップと、運転状態情報送信ステップと、を備える。データ受信ステップでは、一定時間間隔で更新される設備機器の運転データと、設備機器の運転状態を示し、運転データが更新される毎に更新される運用データと、を受信する。データ格納ステップでは、受信した運転データと運用データとを格納する。要求受信ステップでは、端末機器と通信し、設備機器に対する制御要求及び設備機器の運転状態情報の送信要求を、端末機器から受信する。運用データ更新ステップでは、格納された運用データを、制御要求に応じて更に更新する。運転状態情報送信ステップでは、格納された運用データに基づいて設備機器の運転状態情報を生成し、端末機器に送信する。
【発明の効果】
【００１２】
本発明によれば、設備機器のアップデートされた運転状態情報を、効率よく端末機器に送信できる。
【発明を実施するための最良の形態】
【００１３】
１．実施形態
１．１．設備機器管理システムの全体構成
図１は、本発明の一実施形態に係る設備機器の遠隔管理システム１を示す。
【００１４】
設備機器管理システム１は、管理装置１０と、携帯電話２０と、アダプタ装置３０と、空調機４０と、を備える。管理装置１０は、ネットワーク５０を介して複数の施設等に設置された設備機器４０のアダプタ装置３０と通信可能に設置されている。なお、ここでは、設備機器として空調機のみを例に挙げているが、設備機器には冷凍・冷蔵設備、その他の運転の監視・制御の対象となり得る設備機器も含まれる。
【００１５】
管理装置１０は、遠隔の管理センター等に配され、複数箇所の設備機器４０を管理する中央管理装置である。管理装置１０は、公衆ネットワーク等のネットワーク５０を介して、アダプタ装置３０と通信を行う。
【００１６】
携帯電話２０は、ネットワーク５０を介して管理装置１０と通信可能な機器である。
【００１７】
アダプタ装置３０は、空調機４０の制御装置であり、空調機４０が設置された施設７０内の空調用通信線８０の一ノードとして配されている。なお、本実施形態では、アダプタ装置３０は、各空調機４０に接続されている。
【００１８】
１．２．管理装置
図２の符号１０は、管理装置の一構成例を示す。管理装置１０は、ＣＰＵ１１(Central processing Unit)、ＲＡＭ１２（Random Access Memory）、ＲＯＭ１３（Read-Only-Memory）、通信部１４、入力部１５、出力部１６、記憶部１７等を含むコンピュータである。管理装置１０はまたデータベース６０を有する。
【００１９】
ＣＰＵ１１は、各種アプリケーションプログラム等を実行する制御演算ユニットである。ＲＡＭ１２は、ＣＰＵ１１の処理において実行されるプログラム、およびプログラム処理において適宜変化するパラメータの格納エリア、ワーク領域として使用される。ＲＯＭ１３は、ＣＰＵ１１が実行するプログラム、或いは演算パラメータとしての固定データを格納する。通信部１４は、管理装置１０が接続されたルータ等のネットワーク機器を介して、アダプタ装置３０や携帯電話２０と通信する。通信部１４は、ルータ等のネットワーク機器を介して、ＣＰＵ１１、記憶部１７等から供給されたデータをパケット化して送信し、或いはパケットを受信する処理を実行する。
【００２０】
入力部１５は、ＣＰＵ１１に対する各種の指令を入力するための手段である。出力部１６は、記憶部１７の各データやその他情報を出力する。記憶部１７は、情報記憶媒体として例えばフラッシュメモリ、ハードディスクを有する。
【００２１】
管理装置１０は、ＷＷＷサーバーとして機能する。管理装置は、携帯電話２０よりＷｅｂページに対しアクセスを受けると、閲覧対象となる空調機４０とその運転状態情報の出力をＣＰＵ１１に指令する。指示を受けたＣＰＵ１１はデータベース６０を検索し、対象のデータを出力し、通信部１４を介して携帯電話２０に送信する。
【００２２】
通信部１４は、後述するように、一定時間間隔で更新される空調機４０の運転データと、空調機４０の運転状態を示し、同運転データが更新される毎に更新される運用データと、を受信するデータ受信部として機能する。通信部１４はまた、携帯電話２０と通信可能に接続され、空調機４０に対する制御要求及び空調機４０の運転状態情報の送信要求を、携帯電話２０から受信する要求受信部として機能する。ＣＰＵ１１はまた、データベース６０に格納された運用データを、携帯電話２０からの制御要求に応じて更に更新する運用データ更新部として機能する。ＣＰＵ１１及び通信部１４は、データベース６０に格納された運用データに基づいて空調機４０の運転状態情報を生成し、端末機器に送信する運転状態情報送信部として機能する。ＣＰＵ１１は更に、携帯電話２０からの制御要求に従って制御ファイルを作成する制御ファイル作成部として機能する。ＣＰＵ１１及び通信部１４は、アダプタ装置３０からのアクセスに対し、制御ファイルを送信する制御ファイル送信部として機能する。通信部１４は更に、アダプタ装置３０より制御ファイルの実行完了の通報を受信する通報受信部として機能する。運用データ更新部として機能するＣＰＵ１１は、通信部１４が同制御指令の実行完了の通報を受信したことに応じて運用データを更新する。
なお、上述の管理装置１０の構成は一例であり、本発明は上記構成に限定されない。
【００２３】
１．２．１．データベース
図２の符号６０は、本実施形態によるデータベースの内容の一例を示す。このデータベース６０は、データ格納部として機能し、少なくとも運転データ６０ａと運用データ６０ｂとを記憶する。
【００２４】
図４に示すように、データの内容の一例として、空調機の運転データと運用データとを示す。運転データ６０ａは、データ作成日時と、運転／停止、運転モード（冷房、暖房、ドライ運転等）、設定温度、設定風量、消費電力等を含む。一方、運用データは、運転データのうち運転／停止、運転モード、設定温度を含む。
【００２５】
運転データ及び運用データは、設備機器のアダプタ装置３０のメモリ内で蓄積されたデータが、アダプタ装置３０から３時間に１回程度送信されることにより更新される。運用データはまた、後述するように、携帯電話２０からの制御要求に応じて更新される。
なお、上述のデータベース６０の構成は一例であり、本発明は上記構成に限定されない。
【００２６】
１．３．携帯電話
図２の符号２０は、携帯電話の構成例を示す。携帯電話２０は、ＣＰＵ２１、ＲＡＭ２２、ＲＯＭ２３、通信部２４、入力部２５、表示部２６、記憶部２７等を含むコンピュータである。
【００２７】
ＣＰＵ２１は、各種アプリケーションプログラム等を実行する制御演算ユニットである。ＲＡＭ２２は、ＣＰＵ２１の処理において実行されるプログラム、及びプログラム処理において適宜変化するパラメータの格納エリア、ワーク領域として使用される。ＲＯＭ２３は、ＣＰＵ２１が実行するプログラム、或いは演算パラメータとしての固定データを格納する。通信部２４は、管理装置１０やアダプタ装置３０と通信する。通信部２４は、データをパケット化して送信し、或いはネットワーク５０を介して管理装置１０等からパケットを受信する処理を実行する。
【００２８】
入力部２５は、ＣＰＵに対する各種の指令をユーザーによる操作により入力する。表示部２６は、例えば液晶ディスプレイであり、各種情報をテキスト又はイメージ等により表示する。記憶部２７は、情報記憶媒体としての例えばフラッシュメモリを有する。
【００２９】
携帯電話２０は、サーバーである管理装置１０に対しクライアント端末機器として機能し、Ｗｅｂブラウザを起動させ、管理装置１０のＵＲＬにアクセスする。
【００３０】
ＣＰＵ２１及び通信部２４は、後述するように、空調機４０の制御要求と運転状態情報の送信要求とを同時に送信する送信部として機能する。通信部２４はまた、同運転状態情報を受信する受信部として機能する。ＣＰＵ２１及び表示部２６は、同制御要求を送信してから運転状態情報を受信するまでの間、制御要求を実行中である旨を示す情報を表示させる出力部として機能する。なお、この制御要求を実行中である旨を示す情報は、管理装置１０が携帯電話２０のアクセスを受けてそのＣＰＵ１１が所定のアプリケーションプログラムを実行することにより生成され、携帯電話２０に送信される。
【００３１】
なお、携帯電話２０は、パーソナルコンピュータ、携帯電話、ＰＤＡ（Personal Data Assistant）等の端末機器であってもよい。
【００３２】
上述の携帯電話２０の構成は一例であり、上記構成に限定されない。
【００３３】
１．４．アダプタ装置
図３に示すように、アダプタ装置３０は、受信部３１と、送信部３３と、メモリ３４と、制御部３２とを備える。
【００３４】
受信部３１は、ネットワーク５０を介して管理装置１０から制御データやその他所定のデータを受信する。受信部３１はまた、センサ等を介して所定時間毎（例えば、１時間毎）に空調機４０の運転データを受信する。制御部３２は、管理装置１０より受信した制御データに従って空調機４０の各部に対する制御を実行する指令を出す。受信した運転データは、運転データ、及び同運転データの一部のデータである運用データとしてメモリ３４に格納する。送信部３３は、メモリ３４に蓄積した運転データ及び運用データを管理装置１０に送信する。この送信間隔は一定であり、例えば３時間毎に管理装置１０に送信する。メモリ３４は、空調機４０からの運転データを蓄積する。メモリ３４はまた、管理装置１０から受信した制御データを蓄積する。
【００３５】
アダプタ装置３０は、例えば次のような構成を有するコンピュータである。受信部３１、送信部３３及び制御部３２は、メモリ３４等に保存されたプログラムとそのプログラムを実行するＣＰＵやＩ／Ｏ等により実現される。また、アダプタ装置３０は、空調機４０の内部に設けられた装置であってもよいし、空調機４０の制御部の一部として組み込まれていてもよい。或いは、アダプタ装置３０は、独立した装置として複数の空調機に有線又は無線で接続されていてもよい。
【００３６】
１．５．空調機
空調機４０は、例えば、個別空調方式の室内機、室外機や、セントラル空調方式による大型空調機である。
【００３７】
１．６．管理装置システムによる処理の流れ
図５は、本実施形態に係る遠隔管理システム１による処理の流れを示す。以下の処理は、管理装置１０のＣＰＵ１１、携帯電話２０のＣＰＵ２１及びアダプタ装置３０の制御部３２が所定のアプリケーションプログラムを実行することによって実現する。
【００３８】
Ｓ１０１ステップ：まず、携帯電話２０のＣＰＵ２１は、Ｗｅｂブラウザを起動させ、管理装置１０のＵＲＬにアクセスする。このアクセスにより携帯電話２０の表示部２６に入力画面が表示される。この入力画面を介して、ユーザーは操作対象である所定の空調機４０の識別情報を入力する。同入力操作により、携帯電話２０の通信部２４は、所定の空調機４０の制御要求と運転状態情報の送信要求とを管理装置１０に対し送信する。
【００３９】
Ｓ１０２ステップ：携帯電話２０のＣＰＵ２１は、空調機の制御要求が実行中であること、すなわち空調機４０に対するユーザーの操作要求が受付中である旨の情報を表示部２６に表示させる。
【００４０】
Ｓ１０３ステップ：管理装置１０の通信部１４は、携帯電話２０からの空調機４０の制御要求と運転状態情報の送信要求とを受信する。管理装置１０のＣＰＵ１１は、受信した制御要求に応じてその制御の内容を示す制御ファイルを作成する。
【００４１】
Ｓ１０４ステップ：一方、アダプタ装置３０の制御部３２は、管理装置１０にアクセスし、制御ファイルの取得を要求する。なお、このアクセスは、定期的（例えば、８分毎）に行われる。
【００４２】
Ｓ１０５ステップ：Ｓ１０４ステップにおけるアクセスに対し、管理装置１０のＣＰＵ１１及び通信部１４は、制御ファイルをアダプタ装置３０に送信する。
【００４３】
Ｓ１０６ステップ：アダプタ装置３０の受信部３１は、管理装置１０より制御ファイルを受信する。制御部３２は、同制御ファイルに従って空調機の制御を実行する。
【００４４】
Ｓ１０７ステップ：制御ファイルを実行したアダプタ装置３０の制御部３２は、制御ファイルのＩＤを管理装置１０に送信することにより、制御ファイルの実行を完了したことを通報する。
【００４５】
Ｓ１０８ステップ：管理装置１０の通信部１４は、上記通報を受信する。ＣＰＵ１１は、制御ＩＤに対応する空調機４０の制御内容の変更を運用データに反映させて、運用データを更新する。
【００４６】
Ｓ１０９ステップ：管理装置１０のＣＰＵ１１及び通信部１４は、更新された運用データに応じた運転状態情報を生成し、携帯電話２０に送信する。
【００４７】
Ｓ１１０ステップ：携帯電話２０の通信部２４は運転状態情報を受信する。ＣＰＵ２１は、表示部２６に受信した運転状態情報を表示させる。ＣＰＵ２１はまた、操作要求が受付中である旨の情報の表示を解除する。
【００４８】
なお、上記処理の流れは一例であり、その処理手順は上記のものに限定されるものではない。
【００４９】
１．７．携帯電話の表示例
図６は、上記携帯電話２０が空調機４０の制御と運転状態情報の送信とを要求した場合の表示部２６の一例を示す。同表示例では、空調機の識別情報と、同空調機の運転状態と、同空調機の操作が受付中である旨の表示がなされる。運転状態情報には、その空調機の運転状態がいつの時点であるかを示す情報も含まれる。この情報は、運用データの作成日時から取得する。
【００５０】
１．８．その他の処理
図７は、本実施形態に係る管理装置１０のその他の処理の流れを示す。
【００５１】
図７（ａ）は、新たな運転スケジュールに従って空調機４０の運転が行われた場合の処理である。
【００５２】
Ｓ２０１ステップ：管理装置１０のＣＰＵ１１及び通信部１４は、新たに取得した運転スケジュールをアダプタ装置３０に送信する。
【００５３】
Ｓ２０２ステップ：アダプタ装置３０の受信部３１は、新たに取得した運転スケジュールに従って空調機４０の運転を行う。
【００５４】
この運転スケジュールの実行により、アダプタ装置３０のメモリ３４内の蓄積された運転データ及び運用データは、変更されることになる。上述のように、変更され蓄積された運転データ及び運用データは、送信部３３により、一定の送信間隔で管理装置１０に送信される。その結果、運転データ及び運用データは運転スケジュールの実行により変更されることになる。
【００５５】
図７（ｂ）は、ユーザーが携帯電話２０を介して運用データの内容、すなわち運転状態情報を閲覧するための処理を示す。
【００５６】
Ｓ３０１ステップ：まず、携帯電話２０のＣＰＵ２１は、Ｗｅｂブラウザを起動させ、管理装置１０のＵＲＬにアクセスする。このアクセスにより携帯電話２０の表示部２６に入力画面が表示される。この入力画面を介して、ユーザーは運転状態情報を取得したい所定の空調機４０の識別情報を入力する。携帯電話２０の通信部２４は、所定の空調機４０の運転状態情報の送信要求を管理装置１０に対し送信する。
【００５７】
Ｓ３０２ステップ：管理装置１０の通信部１４は、Ｓ３０１ステップの要求を受信する。ＣＰＵ１１は、データベース６０から所定の空調機４０の運用データ６０ｂを読み出す。ＣＰＵ１１は読み出された運用データに基づき、運転状態情報を生成し、携帯電話２０に送信する。
【００５８】
Ｓ３０３ステップ：携帯電話２０の通信部２４は、運転状態情報を受信する。ＣＰＵ２１は、表示部２６に当該空調機４０の運転状態情報を出力させる。
【００５９】
１．９．本実施形態の効果
本実施形態に係る設備機器の遠隔管理システム１によれば、所定の時間毎に更新される運転データとは別に、運転データの更新時と更に携帯電話２０の操作により設備機器の運転状態が変更された場合に更新される運用データを用いて運転状態を表示する。これにより、アダプタ装置３０の限定されたメモリ資源を有効に活用しつつ、空調機４０のアップデートされた運転状態情報を、効率よく携帯電話２０に送信できる。
【００６０】
２．変形例
２．１．
上記実施形態に係る遠隔管理システム１によれば、携帯電話２０により空調機４０の制御要求を送信するとともに運転状態情報の要求を送信し、要求された運転状態情報を受信するまでは、携帯電話２０の表示部２６に「受付中」の表示を行う（（図５のＳ１０１、Ｓ１０２ステップ）。これに代えて、単に空調機４０の制御要求に対しその制御結果を表示するようにしてもよい。この場合、上述の「受付中」の表示は行わない。
【００６１】
２．２．
上記実施形態に係る遠隔管理システム１によれば、携帯電話２０からの制御要求を即時に実行しなくともよい。この場合は、上述の「受付中」の表示は行わない。
【００６２】
２．３．
上記実施形態に係る遠隔管理システム１によれば、携帯電話２０からの要求に対し、運転データも運用データもない状態の場合は、「不明」の表示を行うようにしてもよい。
【産業上の利用可能性】
【００６３】
本発明は、設備機器のアップデートされた運転状態情報を、効率よく端末機器に送信できる設備機器の遠隔管理装置、遠隔管理システム及び遠隔管理方法として有用である。
【図面の簡単な説明】
【００６４】
【図１】本発明の一実施形態に係る遠隔管理システムの全体構成図
【図２】本発明の一実施形態に係る管理装置と携帯電話の構成図
【図３】本発明の一実施形態に係るアダプタ装置の構成図
【図４】本発明の一実施形態に係るデータの内容を示す図
【図５】本発明の一実施形態に係る遠隔管理システムの処理の流れを示す図
【図６】本発明の一実施形態に係る携帯電話の表示例を示す図
【図７】本発明の一実施形態に係る遠隔管理システムの他の処理の流れを示す図
【符号の説明】
【００６５】
１            遠隔管理システム
１０          管理装置（設備機器管理装置）
１１          ＣＰＵ
１２          ＲＡＭ
１３          ＲＯＭ
１４          通信部
１５          入力部
１６          出力部
１７          記憶部
２０          携帯電話（端末機器）
２１          ＣＰＵ
２２          ＲＡＭ
２３          ＲＯＭ
２４          通信部
２５          入力部
２６          表示部
２７          記憶部
２８          ドライブ
３０          アダプタ装置（制御装置）
３１          受信部
３２          制御部
３３          送信部
３４          メモリ
４０          空調機（設備機器）
５０          ネットワーク
６０          データベース
６０ａ        運転データ
６０ｂ        運用データ
７０          施設
８０          空調用通信線
【図１】
2010016434.tif 000003
【図２】
2010016434.tif 000004
【図３】
2010016434.tif 000005
【図４】
2010016434.tif 000006
【図５】
2010016434.tif 000007
【図６】
2010016434.tif 000008
【図７】
2010016434.tif 000009